【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
少なくとも１種のポリチオフェンおよび少なくとも１種のコロイド形成性高分子酸の水性分散液を含む組成物であって、前記ポリチオフェンが式Ｉ（ａ）または式Ｉ（ｂ）を含むことを特徴とする組成物。
【化１】
2006527277.tif 000001
（式中、Ｒ”は各出現で同じかまたは異なり、少なくとも１個のＲ”が水素ではないことを条件として、Ｒ”は、水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、スルホネートおよびウレタンから選択され、
ｍは２または３であり、
ｎは少なくとも約４である）
【化２】
2006527277.tif 000002
（式中、Ｒ’1およびＲ1は独立して水素およびアルキルから選択されるか、または、
Ｒ’1およびＲ1は合一して、１〜１２個の炭素原子を有するアルキル基または芳香族基によって任意選択的に置換されていてもよい１〜４個の炭素原子を有するアルキレン鎖、または１，２−シクロへキシレン基を形成し、
ｎは少なくとも約４である）
【請求項２】
前記コロイド形成性高分子酸が高分子スルホン酸、高分子リン酸、高分子ホスホン酸、高分子カルボン酸、高分子アクリル酸およびそれらの混合物を含むことを特徴とする請求項１に記載の組成物。
【請求項３】
前記コロイド形成性高分子酸がフッ素化高分子スルホン酸を含むことを特徴とする請求項２に記載の組成物。
【請求項４】
前記高分子スルホン酸が過フッ素化されていることを特徴とする請求項３に記載の組成物。
【請求項５】
ポリマー、コロイド形成性高分子酸、染料、カーボンナノチューブ、金属ナノワイヤ、金属ナノ粒子、カーボンナノ粒子、炭素繊維、炭素粒子、グラファイト繊維、グラファイト粒子、コーティング助剤、有機導電性インキ、有機導電性ペースト、無機導電性インキ、無機導電性ペースト、電荷輸送材料、半導電性無機酸化物ナノ粒子、絶縁性無機酸化物ナノ粒子、圧電性ナノ粒子、ピロ電気性ナノ粒子、強誘電性酸化物ナノ粒子、圧電性ポリマー、ピロ電気性ポリマー、強誘電性酸化物ポリマー、光導電性酸化物ナノ粒子、光導電性酸化物ポリマー、分散剤、架橋剤およびそれらの組み合わせから少なくとも１種が選択される追加の材料を更に含むことを特徴とする請求項１に記載の組成物。
【請求項６】
少なくとも１種の共分散性液体を更に含むことを特徴とする請求項１に記載の組成物。
【請求項７】
前記共分散性液体がエーテル、環式エーテル、アルコール、アルコールエーテル、ケトン、ニトリル、スルフィド、スルホキシド、アミド、アミン、カルボン酸およびそれらの組み合わせから選択されることを特徴とする請求項６に記載の組成物。
【請求項８】
前記共分散性液体がｎ−プロパノール、イソプロパノール、メタノール、ブタノール、１−メトキシ−２−プロパノール、ジメチルアセトアミド、ｎ−メチルピロゾール、１，４−ジオキサン、テトラヒドロフラン、テトラヒドロピラン、４−メチル−１，３−ジオキサン、４−フェニル−１，３−ジオキサン、１，３−ジオキソラン、２−メチル−１，３−ジオキソラン、１，３−ジオキサン、２，５−ジメトキシテトラヒドロフラン、２，５−ジメトキシ−２，５−ジヒドロフラン、１−メチルピロリンジン、１−メチル−２−ピロリジノン、ジメチルスルホキシドおよびそれらの組み合わせから選択される少なくとも１種であることを特徴とする請求項６に記載の組成物。
【請求項９】
少なくとも１種のポリチオフェンの水性分散液を製造する方法であって、前記方法が少なくとも１種のコロイド形成性高分子酸、１種の酸化剤および１種の触媒の存在下で少なくとも１種のチオフェンモノマーを重合する工程を含み、前記チオフェンモノマーが式ＩＩ（ａ）または式ＩＩ（ｂ）を有することを特徴とする方法。
【化３】
2006527277.tif 000003
（式中、Ｒ”は各出現で同じかまたは異なり、少なくとも１個のＲ”が水素ではないことを条件として、Ｒ”は、水素、アルキル、ヘテロアルキル、アルケニル、ヘテロアルケニル、アルコール、アミドスルホネート、ベンジル、カルボキシレート、エーテル、エーテルカルボキシレート、エーテルスルホネートおよびウレタンから選択され、
ｍは２または３であり、
Ｒ’1およびＲ1は独立して水素およびアルキルから選択されるか、または、
Ｒ’1およびＲ1は合一して、１〜１２個の炭素原子を有するアルキル基または芳香族基によって任意選択的に置換されていてもよい１〜４個の炭素原子を有するアルキレン鎖、または１，２−シクロへキシレン基を形成する）
【手続補正２】
【補正対象書類名】明細書
【補正対象項目名】０１６６
【補正方法】変更
【補正の内容】
【０１６６】
本発明を特定の好ましい実施形態を参照して詳しく記載してきた一方で、修正および変形は記載され特許請求されている精神および範囲内であることは言うまでもないであろう。
本出願は、特許請求の範囲に記載の発明を含め、以下の発明を包含する。
（１）  少なくとも１種のポリチオフェンおよび少なくとも１種のコロイド形成性高分子酸の水性分散液を含む組成物であって、前記ポリチオフェンが式Ｉ（ａ）または式Ｉ（ｂ）を含むことを特徴とする組成物。
【化４】
2006527277.tif 000004
（式中、Ｒ”は各出現で同じかまたは異なり、少なくとも１個のＲ”が水素ではないことを条件として、Ｒ”は、水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、スルホネートおよびウレタンから選択され、
ｍは２または３であり、
ｎは少なくとも約４である）
【化５】
2006527277.tif 000005
（式中、Ｒ’1およびＲ1は独立して水素およびアルキルから選択されるか、または、
Ｒ’1およびＲ1は合一して、１〜１２個の炭素原子を有するアルキル基または芳香族基によって任意選択的に置換されていてもよい１〜４個の炭素原子を有するアルキレン鎖、または１，２−シクロへキシレン基を形成し、
ｎは少なくとも約４である）
（２）  前記コロイド形成性高分子酸が高分子スルホン酸、高分子リン酸、高分子ホスホン酸、高分子カルボン酸、高分子アクリル酸およびそれらの混合物を含むことを特徴とする（１）に記載の組成物。
（３）  前記コロイド形成性高分子酸がフッ素化高分子スルホン酸を含むことを特徴とする（２）に記載の組成物。
（４）  前記高分子スルホン酸が過フッ素化されていることを特徴とする（３）に記載の組成物。
（５）  ポリマー、コロイド形成性高分子酸、染料、カーボンナノチューブ、金属ナノワイヤ、金属ナノ粒子、カーボンナノ粒子、炭素繊維、炭素粒子、グラファイト繊維、グラファイト粒子、コーティング助剤、有機導電性インキ、有機導電性ペースト、無機導電性インキ、無機導電性ペースト、電荷輸送材料、半導電性無機酸化物ナノ粒子、絶縁性無機酸化物ナノ粒子、圧電性ナノ粒子、ピロ電気性ナノ粒子、強誘電性酸化物ナノ粒子、圧電性ポリマー、ピロ電気性ポリマー、強誘電性酸化物ポリマー、光導電性酸化物ナノ粒子、光導電性酸化物ポリマー、分散剤、架橋剤およびそれらの組み合わせから少なくとも１種が選択される追加の材料を更に含むことを特徴とする（１）に記載の組成物。
（６）  少なくとも１種の共分散性液体を更に含むことを特徴とする（１）に記載の組成物。
（７）  前記共分散性液体がエーテル、環式エーテル、アルコール、アルコールエーテル、ケトン、ニトリル、スルフィド、スルホキシド、アミド、アミン、カルボン酸およびそれらの組み合わせから選択されることを特徴とする（６）に記載の組成物。
（８）  前記共分散性液体がｎ−プロパノール、イソプロパノール、メタノール、ブタノール、１−メトキシ−２−プロパノール、ジメチルアセトアミド、ｎ−メチルピロゾール、１，４−ジオキサン、テトラヒドロフラン、テトラヒドロピラン、４−メチル−１，３−ジオキサン、４−フェニル−１，３−ジオキサン、１，３−ジオキソラン、２−メチル−１，３−ジオキソラン、１，３−ジオキサン、２，５−ジメトキシテトラヒドロフラン、２，５−ジメトキシ−２，５−ジヒドロフラン、１−メチルピロリンジン、１−メチル−２−ピロリジノン、ジメチルスルホキシドおよびそれらの組み合わせから選択される少なくとも１種であることを特徴とする（６）に記載の組成物。
（９）  少なくとも１種のポリチオフェンおよび少なくとも１種のコロイド形成性高分子酸の水性分散液を含む組成物から堆積させた導電性層または半導電性層であって、前記ポリチオフェンが式Ｉ（ａ）または式Ｉ（ｂ）を有することを特徴とする導電性層または半導電性層。
【化６】
2006527277.tif 000006
（式中、Ｒ”は各出現で同じかまたは異なり、少なくとも１個のＲ”が水素ではないことを条件として、Ｒ”は、水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、スルホネートおよびウレタンから選択され、
ｍは２または３であり、
ｎは少なくとも約４である）
【化７】
2006527277.tif 000007
（式中、Ｒ’1およびＲ1は独立して水素およびアルキルから選択されるか、または、
Ｒ’1およびＲ1は合一して、１〜１２個の炭素原子を有するアルキル基または芳香族基によって任意選択的に置換されていてもよい１〜４個の炭素原子を有するアルキレン鎖、または１，２−シクロへキシレン基を形成し、
ｎは少なくとも約４である）
（１０）  少なくとも１種のポリチオフェンおよび少なくとも１種のコロイド形成性高分子酸の水性分散液を含む組成物から堆積させたバッファ層であって、前記ポリチオフェンが式Ｉ（ａ）または式Ｉ（ｂ）を有することを特徴とするバッファ層。
【化８】
2006527277.tif 000008
（式中、Ｒ”は各出現で同じかまたは異なり、少なくとも１個のＲ”が水素ではないことを条件として、Ｒ”は、水素、アルキル、ヘテロアルキル、アルケニル、ヘテロアルケニル、アルコール、ベンジル、カルボキシレート、エーテル、エーテルカルボキシレート、エーテルスルホネート、スルホネートおよびウレタンから選択され、
ｍは２または３であり、
ｎは少なくとも約４である）
【化９】
2006527277.tif 000009
（式中、Ｒ’1およびＲ1は独立して水素およびアルキルから選択されるか、または、
Ｒ’1およびＲ1は合一して、１〜１２個の炭素原子を有するアルキル基または芳香族基によって任意選択的に置換されていてもよい１〜４個の炭素原子を有するアルキレン鎖、または１，２−シクロへキシレン基を形成し、
ｎは少なくとも約４である）
（１１）  前記水性分散液が共分散性液体を更に含むことを特徴とする（１０）に記載のバッファ層。
（１２）  前記水性分散液が３．５を上回るｐＨを有することを特徴とする（１０）に記載のバッファ層。
（１３）少なくとも１種のポリチオフェンおよび少なくとも１種のコロイド形成性高分子酸の組成物を含む少なくとも１つの層を含む電子デバイスであって、前記ポリチオフェンが式Ｉ（ａ）または式Ｉ（ｂ）を有することを特徴とする電子デバイス。
【化１０】
2006527277.tif 000010
（式中、Ｒ”は各出現で同じかまたは異なり、少なくとも１個のＲ”が水素ではないことを条件として、Ｒ”は、水素、アルキル、ヘテロアルキル、アルケニル、ヘテロアルケニル、アルコール、アミドスルホネート、ベンジル、カルボキシレート、エーテル、エーテルカルボキシレート、エーテルスルホネート、スルホネートおよびウレタンから選択され、
ｍは２または３であり、
ｎは少なくとも約４である）
【化１１】
2006527277.tif 000011
（式中、Ｒ’1およびＲ1は独立して水素およびアルキルから選択されるか、または、
Ｒ’1およびＲ1は合一して、１〜１２個の炭素原子を有するアルキル基または芳香族基によって任意選択的に置換されていてもよい１〜４個の炭素原子を有するアルキレン鎖、または１，２−シクロへキシレン基を形成し、
ｎは少なくとも約４である）
（１４）  前記コロイド形成性高分子酸が高分子スルホン酸、高分子リン酸、高分子ホスホン酸、高分子アクリル酸、高分子カルボン酸およびそれらの混合物から選択されることを特徴とする（１３）に記載のデバイス。
（１５）  前記ポリチオフェンがポリ［（スルホン酸−プロピレン−エーテル−メチレン−３，４−ジオキシエチレン）チオフェン］およびポリ［（プロピル−エーテル−エチレン−３，４−ジオキシエチレン）チオフェン］を含み、前記コロイド形成性酸がフッ素化高分子スルホン酸を含むことを特徴とする（８）に記載のデバイス。
（１６）  （１）に記載の組成物を含む少なくとも１個の電極を含む薄膜電界効果トランジスタ。
（１７）  前記組成物が金属ナノワイヤ、金属ナノ粒子またはカーボンナノチューブ、カーボンナノ粒子またはそれらの混合物を更に含むことを特徴とする（１６）に記載の薄膜電界効果トランジスタ。
（１８）  前記デバイスが光センサー、光スイッチ、発光ダイオード、発光ダイオードディスプレー、光検出器、光トランジスタ、光伝導体、光チューブ、赤外線検出器、ダイオードレーザ、エレクトロクロミックデバイス、電磁遮蔽デバイス、固体電解キャパシタ、エネルギー貯蔵デバイス、電界効果抵抗デバイス、メモリー貯蔵デバイス、バイオセンサ、光導電セル、光起電デバイス、太陽電池およびダイオードから選択されることを特徴とする（１３）に記載のデバイス。
（１９）  少なくとも１種のポリチオフェンの水性分散液を製造する方法であって、前記方法が少なくとも１種のコロイド形成性高分子酸、１種の酸化剤および１種の触媒の存在下で少なくとも１種のチオフェンモノマーを重合する工程を含み、前記チオフェンモノマーが式ＩＩ（ａ）または式ＩＩ（ｂ）を有することを特徴とする方法。
【化１２】
2006527277.tif 000012
（式中、Ｒ”は各出現で同じかまたは異なり、少なくとも１個のＲ”が水素ではないことを条件として、Ｒ”は、水素、アルキル、ヘテロアルキル、アルケニル、ヘテロアルケニル、アルコール、アミドスルホネート、ベンジル、カルボキシレート、エーテル、エーテルカルボキシレート、エーテルスルホネートおよびウレタンから選択され、
ｍは２または３であり、
Ｒ’1およびＲ1は独立して水素およびアルキルから選択されるか、または、
Ｒ’1およびＲ1は合一して、１〜１２個の炭素原子を有するアルキル基または芳香族基によって任意選択的に置換されていてもよい１〜４個の炭素原子を有するアルキレン鎖、または１，２−シクロへキシレン基を形成する）
（２０）  前記コロイド形成性高分子酸がパーフルオロエチレンスルホン酸を含むことを特徴とする（１９）に記載の方法。
（２１）  共分散性液体、共酸またはそれらの混合物から選択された少なくとも１種の材料を添加する工程を更に含むことを特徴とする（１９）に記載の方法。
（２２）  制御された添加速度を用いて少なくとも１種のコロイド形成性高分子酸、少なくとも１種の触媒および水を含む反応混合物に少なくとも１種のチオフェンモノマーが添加されることを特徴とする（１９）に記載の方法。
（２３）  前記制御された添加速度が前記反応混合物約１００〜５００ｇごとに対して約１〜１０００μＬモノマー／時間であることを特徴とする（２２）に記載の方法。
（２４）  前記反応混合物に添加される前記モノマーを酸化剤と別々におよび同時に添加することを特徴とする（１９）に記載の方法。
（２５）  重合後に、ポリチオフェン分散液を少なくとも１種のイオン交換樹脂に更に接触させることを特徴とする（１９）に記載の方法。
（２６）  重合後に、共分散性液体を添加することを特徴とする（１９）に記載の方法。
（２７）  前記共分散性液体がエーテル、環式エーテル、アルコール、アルコールエーテル、ケトン、ニトリル、スルフィド、スルホキシド、アミド、アミン、カルボン酸およびそれらの組み合わせから選択されることを特徴とする（２６）に記載の方法。
（２８）  前記共分散性液体がｎ−プロパノール、イソプロパノール、メタノール、ブタノール、１−メトキシ−２−プロパノール、ジメチルアセトアミド、ｎ−メチルピロゾール、１，４−ジオキサン、テトラヒドロフラン、テトラヒドロピラン、４−メチル−１，３−ジオキサン、４−フェニル−１，３−ジオキサン、１，３−ジオキソラン、２−メチル−１，３−ジオキソラン、１，３−ジオキサン、２，５−ジメトキシテトラヒドロフラン、２，５−ジメトキシ−２，５−ジヒドロフラン、１−メチルピロリンジン、１−メチル−２−ピロリジノン、ジメチルスルホキシドおよびそれらの組み合わせから選択されることを特徴とする（２６）に記載の方法。